(57)【要約】【課題】簡単な構造でありながら、吊り下げ式ゴンドラの横振れを確実に抑制する。【解決手段】ワイヤー３が、バルコニー１２に対峙する位置に配置されている。このワイヤー３には不図示のゴンドラが吊り下げられている。本発明に係るゴンドラ振れ止め装置５は、バルコニー１２に基端部分（符号５０で示す部分）が固定された状態でワイヤー３の近傍にまで突出され、先端のワイヤー挿通孔部分（符号５３で示す部分）にはワイヤー３が挿通されるようになっている。これにより、ワイヤー３及びゴンドラ（不図示）の横振れが抑制されることとなる。【選択図】図１
2008156869.tif 000002
【特許請求の範囲】
【請求項１】
各階のバルコニーに対峙するようにワイヤーで吊り下げられて昇降されるゴンドラに関しての振れを抑制するゴンドラ振れ止め装置であって、
少なくとも１つのバルコニーの立ち上がり部に固定される固定部と、
該バルコニーから前記ワイヤーの側に突出する突出位置と該バルコニーに近接する側である退避位置とを選択的に取り得るように前記固定部に揺動可能に支持された揺動アーム部と、
該揺動アーム部の揺動位置を前記突出位置又は前記退避位置に規定する揺動位置規定部と、
前記揺動アーム部に支持されると共に、該揺動アーム部が前記突出位置にある場合に前記ワイヤーが挿通されるワイヤー挿通部と、
を備えたことを特徴とするゴンドラ振れ止め装置。
【請求項２】
前記固定部は、略水平面内にて揺動可能となるように前記揺動アーム部を支持する、
ことを特徴とする請求項１に記載のゴンドラ振れ止め装置。
【請求項３】
前記揺動位置規定部は、前記揺動アーム部及び前記固定部の一方に形成された複数の第１孔部と、他方に形成された少なくとも１つの第２孔部と、これらの第１孔部及び第２孔部に挿通されて前記揺動アーム部の揺動位置を前記突出位置又は前記退避位置に規定する第１ピン部材と、からなる、
ことを特徴とする請求項１又は２に記載のゴンドラ振れ止め装置。
【請求項４】
前記ワイヤー挿通部は、相対移動可能な第１部材及び第２部材により構成され、該第１部材及び／又は該第２部材を移動させることにより前記ワイヤーの係合を外すことができる、
ことを特徴とする請求項１乃至３のいずれか１項に記載のゴンドラ振れ止め装置。
【請求項５】
前記第１部材は前記揺動アーム部に固定され、
前記第２部材は前記揺動アーム部に揺動可能に支持され、
これらの第１部材及び第２部材にそれぞれ形成された孔部に第２ピン部材が挿通されてそれらの部材が固定された状態で、前記ワイヤーを挿通させるためのワイヤー挿通孔が形成される、
ことを特徴とする請求項１乃至４のいずれか１項に記載のゴンドラ振れ止め装置。
【請求項６】
前記固定部は、前記立ち上がり部の上面に沿って配置される上側部と、該上側部に支持されると共に前記立ち上がり部の内側面に付勢される内側付勢部と、該上側部に支持されると共に前記立ち上がり部の外側面に付勢される外側付勢部と、からなる、
ことを特徴とする請求項１乃至５のいずれか１項に記載のゴンドラ振れ止め装置。
【発明の詳細な説明】
【技術分野】
【０００１】
本発明は、建物の外壁に沿うようにワイヤーで吊り下げられたゴンドラの振れを抑制するゴンドラ振れ止め装置に関する。
【背景技術】
【０００２】
従来、建物の外壁の補修や窓の清掃等を行うため、建物の外壁に沿うようにワイヤーで吊り下げたゴンドラが使用されている。
【０００３】
このような吊り下げ式のゴンドラに関しては、様々な横振れ防止対策が提案されている。例えば、
・  吸着パッドにより建物外壁に吸着させる方法（例えば、特許文献１参照）や、
・  磁石内蔵タイプの車輪を設けておいて鋼製壁面に吸着させる方法（例えば、特許文献２参照）や、
・  風受け板を設けておいて風圧によりゴンドラを建物外壁に定着させるようにした方法（例えば、特許文献３参照）
がある。
【特許文献１】特開平０７−１０９８３１号公報
【特許文献２】特許平１１−０７８８６９号公報
【特許文献３】特開２０００−０４５５１２号公報
【発明の開示】
【発明が解決しようとする課題】
【０００４】
しかしながら、上述のような吸着パッドや磁力や風圧等によるものは構造が複雑になる反面、信頼性に欠け、実用的なものではなかった。
【０００５】
本発明は、簡単な構造でありながらゴンドラの振れを確実に抑制することができるゴンドラ振れ止め装置を提供することを目的とするものである。
【課題を解決するための手段】
【０００６】
請求項１に係る発明は、図１乃至図３に例示するように、各階のバルコニー（１２）に対峙するようにワイヤー（３）で吊り下げられて昇降されるゴンドラ（４）に関しての振れを抑制するゴンドラ振れ止め装置（５）であって、
少なくとも１つのバルコニー（１２）の立ち上がり部（１２０）に固定される固定部（５０）と、
該バルコニー（１２）から前記ワイヤー（３）の側に突出する突出位置（５１Ａ）と該バルコニー（１２）に近接する側である退避位置（５１Ｂ）とを選択的に取り得るように前記固定部（５０）に揺動可能に支持された揺動アーム部（５１）と、
該揺動アーム部（５１）の揺動位置を前記突出位置（５１Ａ）又は前記退避位置（５１Ｂ）に規定する揺動位置規定部（５２）と、
前記揺動アーム部（５１）に支持されると共に、該揺動アーム部（５１）が前記突出位置（５１Ａ）にある場合に前記ワイヤー（３）が挿通されるワイヤー挿通部（５３）と、を備えたことを特徴とする。
【０００７】
請求項２に係る発明は、請求項１に係る発明において、前記固定部（５０）が、略水平面内にて揺動可能となるように前記揺動アーム部（５１）を支持することを特徴とする。
【０００８】
請求項３に係る発明は、請求項１又は２に係る発明において、前記揺動位置規定部（５２）が、前記揺動アーム部（５１）及び前記固定部（５０）の一方に形成された複数の第１孔部（５０ａ，５０ｂ）と、他方に形成された少なくとも１つの第２孔部（５１ａ）と、これらの第１孔部（５０ａ，５０ｂ）及び第２孔部（５１ａ）に挿通されて前記揺動アーム部（５１）の揺動位置を前記突出位置（５１Ａ）又は前記退避位置（５１Ｂ）に規定する第１ピン部材（５２０）と、からなることを特徴とする。
【０００９】
請求項４に係る発明は、請求項１乃至３のいずれか１項に記載の発明において、図２に例示するように、前記ワイヤー挿通部（５３）が、相対移動可能な第１部材（５３１）及び第２部材（５３２）により構成され、該第１部材（５３１）及び／又は該第２部材（５３２）を移動させることにより前記ワイヤー（３）の係合を外すことができることを特徴とする。
【００１０】
請求項５に係る発明は、請求項１乃至４のいずれか１項に記載の発明において、前記第１部材（５３１）が前記揺動アーム部（５１）に固定され、
前記第２部材（５３２）が前記揺動アーム部（５１）に揺動可能に支持され、
これらの第１部材（５３１）及び第２部材（５３２）にそれぞれ形成された孔部（５３１ａ，５３２ａ）に第２ピン部材（５３３）が挿通されてそれらの部材（５３１，５３２）が固定された状態で、前記ワイヤー（３）を挿通させるためのワイヤー挿通孔（５３ａ）が形成されることを特徴とする。
【００１１】
請求項６に係る発明は、請求項１乃至５のいずれか１項に記載の発明において、前記固定部（５０）が、前記立ち上がり部（１２０）の上面（１２０ａ）に沿って配置される上側部（５００）と、該上側部（５００）に支持されると共に前記立ち上がり部（１２０）の内側面（１２０ｂ）に付勢される内側付勢部（５０１）と、該上側部（５００）に支持されると共に前記立ち上がり部（１２０）の外側面（１２０ｃ）に付勢される外側付勢部（５０４）と、からなることを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１に係る発明によれば、前記揺動アーム部が前記突出位置に保持され、前記ワイヤー挿通部に前記ワイヤーが挿通されることにより、ワイヤーの横振れが抑制され、それに伴い、ゴンドラの振れも抑制されることとなる。
【００１４】
請求項２に係る発明によれば、揺動アーム部は略水平面内にて揺動可能に構成されているため、上下に揺動させる場合に比べて簡単に揺動させることができる。
【００１５】
請求項３に係る発明によれば、簡単な構造でありながら、突出位置又は退避位置に揺動アーム部を確実に固定することができる。
【００１６】
請求項４及び５に係る発明によれば、簡単な構造でありながら、ワイヤー及びゴンドラの横振れを確実に抑制することができる。
【００１７】
請求項６に係る発明によれば、バルコニーを有するほとんどの建物にゴンドラ振れ止め装置を装着することができる。また、このゴンドラ振れ止め装置は撤去することができるので、建物の外観を損ねることが無く、他の建物に再利用することによって経費節減を図ることができる。
【発明を実施するための最良の形態】
【００１８】
以下、図１乃至図５に沿って、本発明を実施するための最良の形態について説明する。ここで、図１は、本発明に係るゴンドラ振れ止め装置の構造及び取り付け状態の一例を示す側面図であり、図２は、本発明に係るゴンドラ振れ止め装置の構造の一例を示す平面図である。また、図３は、本発明に係るゴンドラ振れ止め装置の使用状態の一例を示す断面図であり、図４は、図３のＡ矢視図である。さらに、図５は、ゴンドラ振れ止め装置が取り付けられた部分の詳細を示す詳細断面図である。
【００１９】
本発明に係るゴンドラ振れ止め装置は、図３乃至図５に符号５で示すように、建物１の各階のバルコニー１２（具体的には、その外壁１１）に対峙するようにワイヤー３で吊り下げられて昇降されるゴンドラ４に使用されるものであって、該ゴンドラ４の振れを抑制するための装置である。以下、具体的に説明する。
【００２０】
図３及び図４に示すように、建物１の屋上１０には、ゴンドラ吊り下げ用の台車２が配置されており、その台車２のアーム２０は建物１の側方（外方）に突出されている。そして、該アーム２０からは建物１に沿ってワイヤー３が垂下されており、そのワイヤー３にはゴンドラ４が吊り下げられている。なお、図３及び図４の符号２１は、ゴンドラ吊り下げ用台車の基部を示し、図３の符号２２は重りを示す。また、図３及び図５の符号１２０はバルコニーの立ち上がり部を示し、符号１２１はバルコニー用手摺部を示し、図５の符号ｄは、立ち上がり部１２０と手摺部１２１との間の隙間部を示している。
【００２１】
このバルコニー１２の立ち上がり部１２０には、本発明に係るゴンドラ振れ止め装置５が前記隙間部ｄを通って建物１の側方（外方）に突出するように取り付けられている。このゴンドラ振れ止め装置５は、図１に詳示するように、前記バルコニー１２の立ち上がり部１２０に固定される固定部５０を備えている。この固定部５０には、略水平面内（図２の紙面に略平行な面）で揺動可能となるように揺動アーム部５１が支持されていて、該揺動アーム部５１は、少なくとも
・  前記バルコニー１２から前記ワイヤー３の側に突出する突出位置（図２の符号５１Ａ参照）と、
・  該バルコニー１２に近接する側である退避位置（図２の符号５１Ｂ参照）と、
を選択的に取り得るようになっている。また、このゴンドラ振れ止め装置５は、前記揺動アーム部５１の揺動位置を前記突出位置５１Ａ又は前記退避位置５１Ｂに規定し保持する揺動位置規定部５２を備えている。さらに、前記揺動アーム部５１には、該揺動アーム部５１が前記突出位置５１Ａにある場合に前記ワイヤー３が挿通されるワイヤー挿通部５３が支持されている。なお、このワイヤー挿通部５３のワイヤー挿通孔（図２の符号５３ａ参照）は、大きすぎるとワイヤー３の横振れを抑制できない（該挿通孔内部で横振れしてしまう）ので、該横振れを抑制できる程度の大きさにすると良い。例えば、該ワイヤー挿通孔５３ａを円形や楕円形とする場合には、その内径を、ワイヤー３の外径の２倍〜１０倍程度にすると良い。なお、ワイヤー挿通孔の形状は円形や楕円形に限定されるものでは無く、それ以外の形状にしても良い。本発明によれば、前記揺動アーム部５１が前記突出位置５１Ａに保持され、前記ワイヤー挿通部５３に前記ワイヤー３が挿通されることにより、ワイヤー３の横振れが抑制され、それに伴い、ゴンドラ４の振れも抑制されることとなる。また、前記ワイヤー挿通部５３による前記ワイヤー３の係合を外した状態で前記揺動アーム部５１を前記退避位置５１Ｂに保持した場合には、該揺動アーム部５１と干渉することなく前記ゴンドラ４を昇降させることが可能となる。さらに、上述のように揺動アーム部５１が略水平面内で揺動可能となるように構成した場合には、上下に揺動させる場合に比べて簡単に揺動させることができる。
【００２２】
なお、図１に示す固定部５０は、
・  バルコニー１２の立ち上がり部１２０の上面１２０ａに沿って配置される上側部５００と、
・  該上側部５００に支持されると共に、該立ち上がり部１２０の内側面１２０ｂに付勢される内側付勢部５０１と、
・  該上側部５００に支持されると共に、該立ち上がり部１２０の外側面１２０ｃに沿って垂下されるブラケット部５０２と、
・  該ブラケット部５０２から前記外側面１２０ｃの方に突出されると共に突出量が調整可能となるように支持されたボルト部材５０３と、
・  該ボルト部材５０３の先端側（前記外側面１２０ｃに対向する側）に支持される外側付勢部５０４と、
を備えている。そして、上述のボルト部材５０３を外側面１２０ｃに近接する方向（図１の右方向）に移動させることにより、前記外側付勢部５０４が外側面１２０ｃに付勢され、これらの内側付勢部５０１と外側付勢部５０４とで前記立ち上がり部１２０を挟持することに基づき該固定部自身が固定されるようになっている。なお、図１中の符号５０５は、ボルト部材５０３を回転させるためのハンドルを示し、符号５０６，５０６は、前記ブラケット部５０２に固設されると共に前記ボルト部材５０３が螺合されるナット部材を示す。このような構成にした場合、バルコニーを有するほとんどの建物にゴンドラ振れ止め装置５を装着することができる。また、このゴンドラ振れ止め装置５は撤去することができるので、建物の外観を損ねることが無く、他の建物に再利用することによって経費節減を図ることができる。
【００２３】
ところで、図示の装置では、内側付勢部５０１は移動可能に構成されておらず外側付勢部５０４のみが移動可能に構成されているが、もちろんこれに限られるものではない。内側付勢部及び外側付勢部のいずれか一方又は両方が、立ち上がり部１２０に付勢される方向に移動可能に構成されていれば良い。つまり、外側付勢部を固定状態として内側付勢部を移動可能に構成しても、或いは、外側付勢部及び内側付勢部の両方を移動可能に構成しても良い。また、図示の付勢部５０４の移動はボルト部材の回転によるものであるが、もちろんこれに限られるものではなく、他の公知の移動機構（例えば、リンク機構等を利用したようなもの）を利用しても良い。
【００２４】
そして、上述の上側部５００は、上下に互いに離間した状態に配置される上板部材５００ａと下板部材５００ｂとをその外側（バルコニー１２とは反対の側）に有しており、それらの部材５００ａ，５００ｂを貫通するように揺動軸５００ｃが略垂直方向に配置されている。そして、上述した揺動アーム部５１が、これらの上板部材５００ａと下板部材５００ｂとの間に前記揺動軸５００ｃが挿通された状態で配置されている。なお、図示の装置においては、揺動アーム部５１は、上側部５００（上側部５００の上板部材５００ａ及び下板部材５００ｂ）に支持されているが、もちろんこれに限られるものではなく、内側付勢部５０１やブラケット部５０２に支持されていても良い。
【００２５】
ところで、上述の揺動アーム部５１には、図１に符号５１ａで示すように、上下に貫通する貫通孔（第２孔部）が形成されている。また、前記固定部５０（具体的には、前記上板部材５００ａ及び前記下板部材５００ｂ）には、図２に示すように、
・  前記揺動アーム部５１が前記突出位置５１Ａにある場合に前記貫通孔５１ａに一致する位置に形成された貫通孔（第１孔部）５０ａと、
・  前記揺動アーム部５１が前記退避位置５１Ｂにある場合に前記貫通孔５１ａに一致する位置に形成された貫通孔（第１孔部）５０ｂと、
が形成されている。また、これらの貫通孔５０ａ，５０ｂに挿脱可能な第１ピン部材（図１の符号５２０参照）が配置されていて、該第１ピン部材５２０をそれらの貫通孔に挿通させることによって、前記揺動アーム部５１の揺動位置を前記突出位置５１Ａ又は前記退避位置５１Ｂに規定するように構成されている。つまり、図示の装置においては、これらの貫通孔５０ａ，５０ｂ，５１ａ及び第１ピン部材５２０によって揺動位置規定部５２が構成されている。なお、図示の装置では、固定部５０の側に複数の貫通孔５０ａ，５０ｂが形成され、揺動アーム部５１の側には１つの貫通孔５１ａが形成されているが、もちろんこれに限られるものではない。固定部５０の側に形成される貫通孔（第２孔部）が１つで、揺動アーム部５１の側に形成される貫通孔（第１孔部）を複数としても良く、両方にそれぞれ複数の貫通孔を形成しても良い。このような構成にした場合、簡単な構造でありながら、突出位置５１Ａ又は退避位置５１Ｂに揺動アーム部５１を確実に固定することができる。
【００２６】
上述のワイヤー挿通部５３は、
・  前記揺動アーム部５１が前記突出位置５１Ａにある場合にはワイヤー３を係合し、
・  前記揺動アーム部５１を前記退避位置５１Ｂに退避させる場合にはワイヤー３の係合を外す
ことができるように構成されている必要がある。そのためには、前記ワイヤー挿通部５３は、図２に示すように、相対移動可能な第１部材５３１及び第２部材５３２により構成しておいて、該第１部材５３１及び／又は該第２部材５３２を移動させることにより前記ワイヤー３の係合を外すことができるようにしておくと良い。なお、図２に示す構造のものでは、前記第１部材５３１は前記揺動アーム部５１に固定され、前記第２部材５３２は前記揺動アーム部５１に揺動可能に支持されているが、両方が揺動可能に支持されていても良い。また、第１部材５３１に孔部５３１ａを形成すると共に、第２部材５３２に孔部５３２ａを形成しておき、それらの孔部５３１ａ，５３２ａに第２ピン部材（図１の符号５３３参照）を挿通することによりそれらの部材５３１，５３２を固定するようにすると良い。なお、ワイヤー挿通部は、図２に示す構造に限定されるものではなく、その他の構造（例えば、カラビナのような構造）としても良い。このような構成にした場合、簡単な構造でありながら、ワイヤー３及びゴンドラ４の横振れを確実に抑制することができる。
【００２７】
なお、ゴンドラ４を吊り下げる装置は、図３等に符号２で示す構造のものに限定されるものでは無く、他の構造であっても良い。また、前記揺動アーム部５１は略水平面内で揺動可能であることが好ましいが、他の方向に揺動可能な構造を本発明の範囲から除外する趣旨では無い。
【図面の簡単な説明】
【００２８】
【図１】図１は、本発明に係るゴンドラ振れ止め装置の構造及び取り付け状態の一例を示す側面図である。
【図２】図２は、本発明に係るゴンドラ振れ止め装置の構造の一例を示す平面図である。
【図３】図３は、本発明に係るゴンドラ振れ止め装置の使用状態の一例を示す断面図である。
【図４】図４は、図３のＡ矢視図である。
【図５】図５は、ゴンドラ振れ止め装置が取り付けられた部分の詳細を示す詳細断面図である。
【符号の説明】
【００２９】
３            ワイヤー
４            ゴンドラ
５            ゴンドラ振れ止め装置
１２          バルコニー
５０          固定部
５０ａ，５０ｂ        第１孔部
５１          揺動アーム部
５１ａ        第２孔部
５１Ａ        突出位置
５１Ｂ        退避位置
５２          揺動位置規定部
５３          ワイヤー挿通部
５３ａ        ワイヤー挿通孔
１２０        立ち上がり部
１２０ａ      上面
１２０ｂ      内側面
１２０ｃ      外側面
５００        上側部
５０１        内側付勢部
５０４        外側付勢部
５２０        第１ピン部材
５３１        第１部材
５３１ａ      孔部
５３２        第２部材
５３２ａ      孔部
５３３        第２ピン部材
【図１】
2008156869.tif 000003
【図２】
2008156869.tif 000004
【図３】
2008156869.tif 000005
【図４】
2008156869.tif 000006
【図５】
2008156869.tif 000007